(57)【要約】【課題】  外光反射による視認性低下が改善され、また、表面のハードコート性に優れ生産性のよい透明タッチパネルを提供する。【解決手段】  透明タッチパネルを、透明タッチパネルの最表面の透明基材の表面にハードコート層が積層され、ハードコート層の表面に形成された微細凹凸の平均ピッチＰaveが可視光波長λvisに対し、Ｐave≦λvis／√２の関係を満たすようにする。【選択図】    図１
2012022484.tif 000002
【特許請求の範囲】
【請求項１】
透明タッチパネルの最表面の透明基材の表面にハードコート層が積層され、ハードコート層の表面に形成された微細凹凸の平均ピッチＰaveが可視光波長λvisに対し、Ｐave≦λvis／√２の関係を満たすことを特徴とする透明タッチパネル。
【請求項２】
微細凹凸の高さＨmothが微細凹凸の平均ピッチＰaveに対し、アスペクト比１≦Ｈmoth／Ｐave≦１０の関係を満たす請求項１に記載の透明タッチパネル。
【請求項３】
ハードコート層の厚みＨresが微細凹凸の高さＨmothに対し、２＜Ｈres／Ｈmoth＜１０の関係を満たす請求項１または２に記載の透明タッチパネル。
【請求項４】
ハードコート層の厚みＨresが２〜５０μｍである請求項１〜３のいずれかに記載の透明タッチパネル。
【発明の詳細な説明】
【技術分野】
【０００１】
本発明は、ＰＤＡ乃至は携帯情報端末（機器）、カーナビゲーションシステム等の各種電子機器の表示部に使用される透明タッチパネルと、それを用いた表示装置に関する。
【背景技術】
【０００２】
現在、表示パネルに液晶表示ディスプレイ（ＬＣＤ）等を用いた表示部を有する各種電子機器のうち、例えば、ＰＤＡ（Ｐｅｒｓｏｎａｌ ＤｉｇｉｔａｌＡｓｓｉｓｔａｎｔｓ）乃至は携帯情報端末、カーナビゲーションシステム、ＰＯＳ（販売時点情報管理）端末、ＡＴＭ（現金自動預金支払兼用機）等では、表示パネルの前面に透明タッチパネルを配置して、入力機能付き表示部とした構造としている。
【先行技術文献】
【特許文献】
【０００３】
【特許文献１】特開平１０−４８６２５号公報
【特許文献２】再公表ＷＯ００／６３９２４号公報
【特許文献３】特開２００３−５０６７３号公報
【発明の概要】
【発明が解決しようとする課題】
【０００４】
ところで、透明タッチパネルとしては、従来から、抵抗膜方式、接触方式、静電容量方式、（磁）歪方式、電磁誘導方式、光学（赤外線）方式、超音波方式等と各種方式のものが知られているが、いずれの方式のものにしても、表示パネルの前面に配置する関係上、透明タッチパネル部分での或る程度の外光の反射は避けられず、これによって、表示の視認性が低下したり、或いは、表示パネルからの光の利用効率が低下したりする問題があった。なかでも、その構成上透明基材が空隙を挟んで２層以上あり、反射面がその分多くなる抵抗膜方式の透明タッチパネルは、反射光の視認性への影響が大きかった。
【０００５】
そこで、例えば、反射面を梨地処理して外部からの光をパネル前方へ向かって全反射でなく散乱反射させることによって背景の映り込みを防止する構成が開発されている（特許文献１参照）。しかし上記梨地処理面の凹凸は、外部からの光をパネル前方へ向かって散乱反射するだけでなく、液晶表示ディスプレイからの光も散乱透過する。この散乱透過光の干渉と液晶画素ピッチとに起因して砂目状の明暗を生じ、観察者にとって表示画面がぎらついて見える。
【０００６】
また、蒸着、スパッタリング、或いは塗工等の手法によって低屈折率層と高屈折率層との多層膜からなる反射防止層を設ける構成も開発されている（特許文献２参照）。しかし、この構成では視認性は良いが、コストが高く生産性が低い上、屈折率と膜厚に制限があるため最表層にハードコート層を形成することが難しい。ハードコート層は厚みがあるほどその効果が高く、一般に数μｍ〜数十μｍの膜厚が必要であるが、この方法は原則として各層の厚みをλ／４で設計する必要がある。また各層の屈折率の変化をつける材料選定が必要となるためにハードコート層としての機能優先で材料を選ぶことができない。
【０００７】
また、基材自体に微細凹凸を形成する構成も開発されている（特許文献３参照）。しかし、この構成には、以下の欠点がある。
（１）耐擦傷による低反射構造を防止することができないため、裏面のみに微細凹凸を形成する構成としていて、表面反射を防止できない。
（２）一般に使用時環境耐性を持たせるために基材はガラスもしくは樹脂としては耐熱性の高いポリカーボネートなどが用いられ、そのためインプリント工程において高い温度条件（ガラスで６００℃以上、ポリカーボネートで１４０℃以上）が必要となり、生産性に劣る。
（３）裏面においても生産工程における傷付き防止などからハードコート性を要求されることが多いが、この方法では基材にガラスを選定するしか方法がなく、生産工程におけるキズ防止には保護シートの貼り合わせが必要となってしまう。
【０００８】
すなわち、本発明の課題は、透明タッチパネルでの光の反射を減らし、表示の視認性を向上させるとともに、表面のハードコート性に優れた透明タッチパネルを生産性よく提供することにある。
【課題を解決するための手段】
【０００９】
本発明は前記目的を達成するため、以下のような特徴を備える。
【００１０】
本発明の透明タッチパネルは、透明タッチパネルの最表面の透明基材の表面にハードコート層が積層され、ハードコート層の表面に形成された微細凹凸の平均ピッチＰaveが可視光波長λvisに対し、Ｐave≦λvis／√２の関係を満たすことを特徴とする。
【００１１】
また上記の発明において、微細凹凸の高さＨmothが微細凹凸の平均ピッチＰaveに対し、アスペクト比１≦Ｈmoth／Ｐave≦１０の関係を満たしてもよい。
【００１２】
また上記の発明において、ハードコート層の厚みＨresが微細凹凸の高さＨmothに対し、２＜Ｈres／Ｈmoth＜１０の関係を満たしてもよい。
【００１３】
また上記の発明において、ハードコート層の厚みＨresが２〜５０μｍでもよい。
【発明の効果】
【００１４】
本発明の透明タッチパネルは、表面に形成された微細凹凸の平均ピッチＰaveが可視光波長λvisに対し、Ｐave≦λvis／√２の関係を満たすものである。これにより、透明タッチパネル表面に於ける透明タッチパネルと空気間の屈折率変化は、不連続で急激な変化では無く、連続的に漸次変化する様にできる。そして、物質界面に於ける光の反射は、急激な屈折率変化で起きるものであるから、透明タッチパネル表面に於ける屈折率変化を連続的に漸次変化する様なものとすることによって、透明タッチパネル表面に於ける光反射を減らすことができる。すなわち、表示の視認に影響する波長成分として、透明タッチパネルの外側から来る外光（より厳密には外光のうち可視光線領域の波長光）の（観察者側への）透明タッチパネル表裏両面（及び方式によっては内部構成面）による反射のうち、透明タッチパネル表面における反射が除去され得る為、透明タッチパネルからの反射光の全量を、その分低減できる。したがって、外光反射による表示の視認性低下を改善できる。
【００１５】
また、本発明の透明タッチパネルは、透明タッチパネルの最表面の透明基材に積層されたハードコート層の表面に微細凹凸を形成するものである。これにより、基材自体に微細凹凸を形成するよりも低い温度条件で微細凹凸を形成することができる。したがって、表面のハードコート性に優れた透明タッチパネルを生産性よく製造することができる。
【図面の簡単な説明】
【００１６】
【図１】本発明の透明タッチパネルを概念的に示す断面図である。
【発明を実施するための形態】
【００１７】
図面を参照しながらこの発明の実施の形態について詳しく説明する。
【００１８】
本発明による透明タッチパネル１０は、その一形態として、代表的方式でもある抵抗膜方式の透明タッチパネルの場合では、ペンや指を触れて入力する側となる、すなわち、最表面を成す表側の透明基材１と共に、最裏面を成す裏側の透明基材１ａが組み合わせ使用され、各透明基材１及び１ａの内面にはそれぞれ抵抗膜４及び４ａが形成され、抵抗膜４と抵抗膜４ａ間は、点状に形成されたスペーサ５で空隙が保たれている（図１（ａ）参照）。そして、本発明の透明タッチパネル１０は、反射防止を目的として、ペンや指を触れて入力する側となる透明タッチパネルの最表面の透明基材１の表面にハードコート層２が積層され、ハードコート層２の表面に形成された微細凹凸３の平均ピッチＰaveが可視光波長λvisに対し、Ｐave≦λvis／√２の関係を満たすものである（図１（ｂ）参照）。
【００１９】
なお、本発明に於いて、表面とは、ペンや指を触れて入力する側であり、表示装置としてはその表示を観察する側の面、すなわち、表示装置の外側の面ことを言う。また、裏面とは、透明タッチパネルとしては表示パネル側の面、すなわち、表示装置の内部方向の面のことをいう。またこれらを、透明基材として言えば、表面とは、ペンや指を触れて入力する側を向いた面、裏面とは表示パネル側を向いた面のことをいう。
【００２０】
本発明の透明タッチパネル１０としては、抵抗膜方式、超音波方式、静電容量方式、電磁誘導方式等、いずれの方式であっても良い。抵抗膜方式では、透明基材は２枚を重ねた構成とする為に、本発明の微細凹凸３を設ける側を、最表面を成す方として特定するが、透明基材が１枚で良い方式の場合には、その１枚の透明基材自体が最表面を成す透明基材となる。透明基材１（１ａ）には、適用する方式に合わせた物を使用すればよい。
【００２１】
剛体で透明性及び強度を有する透明基材１（１ａ）の素材としては、例えば、ソーダガラス、ホウ珪酸ガラス、石英ガラス等のガラス、ＰＬＺＴ〔＝Ｌａ添加ジルコン・チタン酸鉛。超音波方式で使われる。〕等の無機材料、或いは、ポリ（メタ）アクリル酸メチル、ポリ（メタ）アクリル酸エチル、（メタ）アクリル酸メチル−（メタ）アクリル酸ブチル共重合体等のアクリル樹脂〔但し、（メタ）アクリルとはアクリル、或いはメタクリルを意味する。〕、ポリカーボネート樹脂、ポリプロピレン、ポリメチルペンテン、環状オレフィン系高分子（代表的にはノルボルネン系樹脂等があるが、例えば、日本ゼオン株式会社製の製品名「ゼオノア」、ＪＳＲ株式会社製の「アートン」等がある）等のポリオレフィン系樹脂、ポリエチレンテレフタレート、ポリエチレンナフタレート等の熱可塑性ポリエステル樹脂、ポリアミド樹脂、ポリスチレン、アクリロニトリル−スチレン共重合体、ポリエーテルスルフォン、ポリスルフォン、セルロース系樹脂、塩化ビニル樹脂、ポリエーテルエーテルケトン、ポリウレタン等の熱可塑性樹脂等の有機高分子材料等が挙げられる。
【００２２】
上記の如き素材からなる透明基材１（１ａ）の厚さは、剛性を確保する為には、通常は０．５〜２ｍｍ程度とする。
【００２３】
なお、表側に透明基材１を積層する構成となる抵抗膜方式の透明タッチパネルでは、表側の透明基材１には、可撓性のものを使用する。この様な透明基材１としては、上記した樹脂素材が使用できる。但し、厚さは、可撓性が得られる程度の厚さとする。従って、厚さは、可撓性を確保しつつ、表面強度も確保する為に、通常、０．０５〜０．５ｍｍ程度である。
【００２４】
透明基材１がペンや指などのたび重なる接触によって傷つくのを保護するために、透明基材１の表面にハードコート層２が積層される。ハードコート層２の材質は、アクリル系やウレタン系の樹脂ポリマーと多官能イソシアネート、またはアクリレート系の活性エネルギー線硬化型樹脂と光開始重合剤の混合物、グリシジル（メタ）アクリレート系重合体などが挙げられるが、透明基材１との界面での屈折を防ぐため、できるだけ透明基材１の屈折率と同じものを選定する。例えば、透明基材１の材質がアクリル系樹脂ならば、ハードコート層２の材質もアクリル系樹脂を選定するのが好ましい。ハードコート層２の形成方法としては、グラビアコート法、ロールコート法、コンマコート法などのコート法がある。ハードコート層２の厚みＨresは２〜５０μｍの厚みに形成するのが好ましい。ハードコート層２の厚みが２μｍ未満になるとハードコート性・耐薬品性が不足しがちになり、またハードコート層２の厚みが５０μｍを超えると生産性が低下するからである。
【００２５】
次に、ハードコート層２にナノインプリント法を用いて、ハードコート層２の一部または全部に多数の微細凹凸３を形成する方法について説明する。ナノインプリント法は、スタンパーをハードコート層２に押し付け、ハードコート層２に微細凹凸３を形成する加工方法である。ナノインプリント法の代表的な方式としては、熱ナノインプリント法、光ナノインプリント法、室温ナノインプリント法があげられる。本発明では、室温ナノインプリント法または低温での熱ナノインプリント法でハードコート層２に微細凹凸３を形成する。これらの方法で微細凹凸３を形成すると、ハードコート層２は硬化時にわずかに収縮を起こすため、熱ナノインプリント法に比べてスタンパーからの離型が容易であり好適である。また、熱ナノインプリント法より一般に低温、低荷重にてインプリントできるため、スタンパーの材料の選択肢が広がる、これにより、例えばフッ化物そのものでスタンパーを作成することもできるため、離型コート処理したシリコン基板などをスタンパーとして用いることの多い熱インプリント法よりもスタンパーの耐久性が高まり、生産性を向上させることができる。またスタンプ後の冷却などの工程が不要になりスループットが改善され、また寸法精度も改善される。
【００２６】
ナノインプリントの方法としては、まず電子線などで描いた母型の金型からニッケル電鋳からなるスタンパーを作製し、次にそれをハードコート層２に載置し、高圧下で押し付け、スタンパーをハードコート層２から外してハードコート層２に多数の微細凹凸３を形成する。また押し付ける際の温度は常温または６０℃以下の温度下に設定し、圧力は一般的に数ＭＰａに設定する。その条件下でスタンパーを押圧した後、ハードコート層２からスタンパーを外し、ハードコート層２に形成された多数の微細凹凸３に電離放射線を照射する。電離放射線の照射により硬化重合未反応の状態のハードコート層２の硬化重合反応が開始され、強靭なハードコート性・耐薬品性のあるハードコート層２が形成される。
【００２７】
ここで、ハードコート層２へのスタンプのタイミングの違いとして、（１）液状で塗布後すぐにスタンプを行って電離放射線を照射して硬化させる方法と、（２）液状で塗布後、熱乾燥によってゲル状となった状態でスタンプを行って電離放射線を照射して硬化させることによって形成する方法とがある。（１）では透明基材１上にスピンコートなどでハードコート層２を塗布後、スタンプする。（２）では生産性向上のため、例えばウェットコーティングなどの別工程によって透明基材１上にロールｔｏロールでハードコート層２を形成することもできる。
【００２８】
電離放射線の例としては、電波、可視光線、紫外線、赤外線、Ｘ線、ガンマ線、粒子線、電子線などがある。
【００２９】
多数の微細凹凸３の表面形状としては、線、多角形、円、またはこれらを組み合わせた形状等が挙げられる。また断面形状としては、Ｕ字型、Ｖ字型、コの字型の凹凸形状が挙げられる。また、ピッチが１００〜４００ｎｍで多数の角錐または円錐状のピラーが規則的に整然と並んだような所謂モスアイ構造と呼ばれる形状にすれば、反射防止機能を有することとなり好ましい。しかし、これら多数の微細凹凸３の表面形状は上記の例に限定されない。
【００３０】
ここで本発明特有の微細凹凸３のピッチについて詳しく説明する。微細凹凸３は、従来公知の、光波長以上の大きさの凹凸によるマット面（艶消し）を利用して光を散乱（拡散反射）させる方式の反射防止処理（特開２０００−２４１７９４号公報等参照）或いは防眩処理（例えば、特開２０００−２４１７９４号公報等参照）とは異なり、可視光線の波長以下の大きさの特定の形状の凹凸であり、ハードコート層２の表面に形成された微細凹凸３の平均ピッチＰaveが可視光波長λvisに対し、Ｐave≦λvis／√２の関係を満たすようにしたものである。具体的には、可視光波長λvisを可視光波長帯域の下限３８０ｎｍとすれば、λvis／√２は２６９ｎｍ、つまり微細凹凸３の平均ピッチＰaveは２６９ｎｍ以下とすれば良い。この場合は、空気部分、透明基材部分とも、微細凹凸３の平均ピッチＰaveが、最短波長よりも小さいと言う条件が完全に満たされる為、屈折率平均化による反射防止効果は、より完全となる。ここで微細凹凸3が完全に揃ってしまうとモアレの懸念が生じるので、適度にばらついている方が好ましい。このような微細凹凸3によって、微細凹凸３形成面に於ける透明基材と外界（空気）との間の急激で不連続な屈折率変化を、連続的で漸次変化する屈折率変化に変えることが可能となる。そして、光の反射は、物質界面の不連続な急激な屈折率変化によって生じる現象であるから、空間的に連続的に変化する様にした屈折率変化によって、光反射防止効果が得られるのである。
【００３１】
ここで、微細凹凸３の高さＨmothは、無反射の観点からは高ければ高いほうが好ましいが、強度が弱くなるため、微細凹凸の平均ピッチＰaveに対してのアスペクト比は１≦Ｈmoth／Ｐave≦１０とするのが好適である。
【００３２】
また、ハードコート層２の厚みＨresは最低限、微細凹凸３の高さＨmothがあればよいが、特にゲル状にしたハードコート層２のインプリントには微細凹凸３の高さＨmothよりできるだけ厚いほうが転写性が増し、生産性が向上する。ハードコート層２の厚みＨresは２＜Ｈres／Ｈmoth＜１０の関係を満たすようにするのが好適である。
【００３３】
本発明の透明タッチパネル１０は、最表面を成す透明基材１の表面に本発明特有の微細凹凸３を有する構成であれば良く、その他の部分は、従来公知の各種方式の透明タッチパネルの各種構成を採用することができる。
【符号の説明】
【００３４】
１、１ａ  透明基材
２        ハードコート層
３        微細凹凸
４、４ａ  抵抗膜
５        スペーサ
１０      透明タッチパネル
【図１】
2012022484.tif 000003